(57)【要約】【課題】梱包時及び開梱時にファンガードを変形させるおそれがなく、開梱時に扇風機を取出し易い梱包装置を得ること。【解決手段】ファン２、ファンガード３及びモータ５を含んで成る送風機部４を装着したままの扇風機１を梱包する梱包装置９０において、前記扇風機１全体を収納する梱包箱１０と、前記扇風機１全体を前記梱包箱１０に収納する前に、前記送風機部４を梱包して前記ファンガード３を保護する送風機パッド１１と、を備え、前記送風機パッド１１の外郭部に、取っ手部１２ｂを設けた。【選択図】図１
2010202210.tif 000002
【特許請求の範囲】
【請求項１】
ファン、ファンガード及びモータを含んで成る送風機部を装着したままの扇風機を梱包する梱包装置において、
前記扇風機全体を収納する梱包箱と、
前記扇風機全体を前記梱包箱に収納する前に、前記送風機部を梱包して前記ファンガードを保護する送風機パッドと、
を備えることを特徴とする梱包装置。
【請求項２】
前記送風機パッド内に、ファンガード後面に当接するファンガードパットと、前記モータのモータカバー側面に当接するモータパッドと、前記モータのモータカバー上面に当接するストッパーと、を設け、前記送風機部が前記送風機パッド内で動くのを規制することを特徴とする請求項１に記載の梱包装置。
【請求項３】
前記送風機パッドの外郭部に、取っ手部を設けたことを特徴とする請求項１に記載の梱包装置。
【発明の詳細な説明】
【技術分野】
【０００１】
本発明は、ファン及びファンガードを装着したまま梱包する扇風機の梱包装置に関する。
【背景技術】
【０００２】
従来の梱包装置は、ファン及びファンガードを装着したままの扇風機を、予め、梱包箱に装着された保護パッド内に収納し、その次に、ファン、ファンガード及びモータから成る送風機部に、ファンガード保護パッドを装着していた。開梱時は、ファンガード保護パッドを取出し、直接、スタンド又はファンガードを持ち、扇風機を取出していた（例えば、特許文献１参照）。
【先行技術文献】
【特許文献】
【０００３】
【特許文献１】実願昭６２−６１１５５号（実開昭６３−１６９４７０号）のマイクロフィルム
【発明の概要】
【発明が解決しようとする課題】
【０００４】
しかしながら、上記従来の梱包装置は、扇風機を梱包箱の中に収納するときに、予め、梱包箱に入れてある保護パッドにファンガードが引っ掛り、変形する、という問題があった。また、扇風機を梱包箱に収納した後、送風機部にファンガード保護パッドを装着するときに、ファンガード保護パッドがファンガードに引っ掛り、ファンガードが変形する、という問題があった。さらに、ユーザーによる開梱時には、扇風機を梱包箱から取出すとき、ファンガードに指を掛けて、ファンガードを変形させる、という問題があった。また、扇風機は、保護パッド等で固定されていて、取出しに苦労する、という問題があった。
【０００５】
本発明は、上記に鑑みてなされたものであって、梱包時及び開梱時にファンガードを変形させるおそれがなく、開梱時に扇風機を取出し易い梱包装置を得ることを目的とする。
【課題を解決するための手段】
【０００６】
上述した課題を解決し、目的を達成するために、本発明は、ファン、ファンガード及びモータを含んで成る送風機部を装着したままの扇風機を梱包する梱包装置において、前記扇風機全体を収納する梱包箱と、前記扇風機全体を前記梱包箱に収納する前に、前記送風機部を梱包して前記ファンガードを保護する送風機パッドと、を備えることを特徴とする。
【発明の効果】
【０００７】
本発明によれば、梱包時及び開梱時にファンガードを変形させるおそれがない、という効果を奏する。
【図面の簡単な説明】
【０００８】
【図１】図１は、本発明にかかる梱包装置の実施の形態を示す全体斜視図である。
【図２】図２は、扇風機が収納された実施の形態の梱包装置を示す上面図である。
【図３】図３は、送風機パッドの外郭部の展開図である。
【図４】図４は、外郭部の組立後の状態を示す斜視図である。
【図５】図５は、送風機パッドの内郭部の展開図である。
【図６】図６は、内郭部の組立後の状態を示す斜視図である。
【図７】図７は、内郭部を外郭部内に挿入した送風機パッドの斜視図である。
【図８】図８は、送風機パッドの上面図である。
【図９】図９は、送風機パッドに送風機部を挿入した状態を示す上面図である。
【図１０】図１０は、図９のＡ−Ａ線に沿う断面図である。
【図１１】図１１は、ベースパッドの展開図である。
【図１２】図１２は、組立後のベースパッドを示す上面図である。
【図１３】図１３は、スタンドパッドの展開図である。
【図１４】図１４は、組立後のスタンドパッドを示す上面図である。
【図１５】図１５は、支柱パッドの展開図である。
【図１６】図１６は、組立後の支柱パッドを示す上面図である。
【図１７】図１７は、実施の形態の梱包装置を示す上面図である。
【発明を実施するための形態】
【０００９】
以下に、本発明にかかる梱包装置の実施の形態を図面に基づいて詳細に説明する。なお、この実施の形態によりこの発明が限定されるものではない。
【００１０】
実施の形態
図１は、本発明にかかる梱包装置の実施の形態を示す全体斜視図であり、図２は、扇風機が収納された実施の形態の梱包装置を示す上面図である。図１及び図２に示すように、扇風機１は、ファン２、ファンガード３及びモータ５を有する送風機部４と、送風機部４を支持するスタンド６と、スタンド６を支持する分離可能なベース７と、を備えている。
【００１１】
梱包装置９０は、上面が開放される直方体状の梱包箱１０と、送風機部４を梱包、保護する四角筒状の送風機パッド１１と、ベース７を梱包、保護するベースパッド１４と、スタンド６のスタンドベース部を梱包、保護するスタンドパッド１５と、スタンド６の支柱の後に当接させる支柱パッド１６と、を備えている。梱包箱１０、送風機パッド１１、ベースパッド１４、スタンドパッド１５及び支柱パッド１６は、段ボール製である。
【００１２】
図３は、送風機パッドの外郭部の展開図であり、図４は、外郭部の組立後の状態を示す斜視図であり、図５は、送風機パッドの内郭部の展開図であり、図６は、内郭部の組立後の状態を示す斜視図であり、図７は、内郭部を外郭部内に挿入した送風機パッドの斜視図であり、図８は、送風機パッドの上面図であり、図９は、送風機パッドに送風機部を挿入した状態を示す上面図であり、図１０は、図９のＡ−Ａ線に沿う断面図である。
【００１３】
図３に示す展開された帯状の外郭部１２を、破線で示す折り曲げ線で折り曲げ、図４に示す四角筒状の外郭部１２を組立てる。また、図５に示す展開された帯状の内郭部１３を、破線で示す折り曲げ線で折り曲げ、図６に示す内郭部１３を組立てる。図７及び図８に示すように、外郭部１２内に内郭部１３を挿入し、外郭部１２の爪１２ａ１〜１２ａ７と、内郭部１３の爪１３ａ１〜１３ａ７の、同じ副番同士の爪を重ねて折り曲げて結合し、送風機パッド１１を組立てる。
【００１４】
図８に示すように、送風機パッド１１は、ファンガード梱包部１１ａと、モータ梱包部１１ｂとを有している。図９及び図１０に示すように、送風機パッド１１のファンガード梱包部１１ａは、扇風機１のファンガード３を梱包し、モータ梱包部１１ｂは、扇風機１のモータ５を梱包する。送風機パッド１１による送風機部４の収納、梱包作業は、扇風機１を梱包箱１０に収納する前に行なう。
【００１５】
図６及び図８に示すように、内郭部１３の両側部には、枕状のファンガードパッド１３ｂが設けられており、図９に示すように、ファンガードパッド１３ｂに、ファンガード後面３ａが当接し、送風機部４が後方へ動くのを規制する。
【００１６】
また、図８及び図９に示すように、ファンガードパッド１３ｂの内側面が、モータパッド１３ｃとなっていて、モータパット１３ｃがモータ５のモータカバー側面５ａに当接し、送風機部４が横方向に動くのを規制する。また、図６及び図８に示すストッパー１３ｄが、図１０に示すように、モータ５のモータカバー上面５ｂに当接し、送風機部４が上下方向に動くのを規制する。
【００１７】
図１に示すように、梱包箱１０は、上面及び底面が、上フラップ１０ｃと下フラップ１０ｄによるオーバーフラップ構造となっていて、底面の上フラップ端部側の稜線を、粘着テープ１７で貼り付けて箱にした後、図１７に示すように、ベースパッド１４、スタンドパッド１５及び支柱パッド１６を予め入れておく。
【００１８】
図１１は、ベースパッドの展開図であり、図１２は、組立後のベースパッドを示す上面図であり、図１３は、スタンドパッドの展開図であり、図１４は、組立後のスタンドパッドを示す上面図であり、図１５は、支柱パッドの展開図であり、図１６は、組立後の支柱パッドを示す上面図であり、図１７は、実施の形態の梱包装置を示す上面図である。
【００１９】
図１１に示す展開されたベースパッド１４を、破線で示す折り曲げ線で折り曲げ、図１２に示すような形状に組立て、ベース収納部１４ｅを形成する。また、図１３に示す展開されたスタンドパッド１５を、破線で示す折り曲げ線で折り曲げ、突起１５ａを長孔１５ｂに差込み、さらに、爪１５ｃと１５ｄを重ねて折り曲げて結合し、爪１５ｅと１５ｆを重ねて折り曲げて結合し、図１４に示すような形状に組立てる。
【００２０】
図１５に示す展開された支柱パッド１６を、破線で示す折り曲げ線で折り曲げ、爪１６ａと爪１６ｂを重ねて折り曲げて結合し、図１６に示すような形状に形成する。図１７に示すように、スタンドパッド１５は、梱包箱１０内の、送風機パッド１１と反対側の隅に設置する。
【００２１】
ベースパッド１４は、曲げ端部１４ｃが、スタンドパッド１５と梱包箱１０の側壁との間に差込まれ、ガイド片１４ａ及びガイド片１４ｂの端部が、梱包箱１０の側壁に当接されて、梱包箱１０内での動きが規制され、図２に示すように、ベース７とスタンド６の接触を防止している。
【００２２】
図１７に示すように、支柱パッド１６は、梱包箱１０内で、ベースパッド１４の反対側の側壁に当接し、曲げ端部１６ｃが、スタンドパッド１５と梱包箱１０の側壁との間に差込まれ、梱包箱１０内での長手方向の動きが規制されている。
【００２３】
支柱パッド１６は、梱包箱１０の上下方向の圧縮に対す強度メンバーとなっている。図１及び図２に示すように、予め、送風機パッド１１で送風機部４を梱包した状態で、送風機部４が、梱包箱１０の一端側の送風機部収納部１０ａに収納される。
【００２４】
扇風機１のスタンド６は、予め梱包箱１０に収められたベースパッド１４、スタンドパッド１５及び支柱パッド１６に囲まれて形成されるスタンド収納部１０ｂに収納、梱包され、分離されたベース７は、ベース収納部１４ｅに収納、梱包される。
【００２５】
ベースパッド１４のガイド片１４ａ及びガイド片１４ｂの端部が、梱包箱１０の側壁に当接し、梱包箱１０に対するベースパッド１４の短手方向の動きを規制しているため、ベース７は、ベース収納部１４ｅにより保護される。また、ベース収納部１４ｅにより、ベース７とスタンド６が直接接触することはなく、輸送時等の振動による損傷を防止している。
【００２６】
図４及び図７に示すように、送風機パッド１１の外郭部１２には、壁部の３辺がカットされた取っ手部１２ｂが設けられている。図６に示すように、取っ手部１２ｂの位置に対向する内郭部１３の壁部には、外郭部１２の取っ手部１２ｂと同じ大きさの抜き孔１３ｅが設けられていて、外郭部１２の取っ手部１２ｂのカットされていない一辺を、内郭部１３の抜き孔１３ｅの中へ折り込むことにより、取っ手形状が形成される。この取っ手部１２ｂに手を掛ければ、送風機パッド１１ごと、ファンガード３を変形させることなく、扇風機１を容易に取出すことができる。
【産業上の利用可能性】
【００２７】
以上のように、本発明にかかる梱包装置は、ファンガードを備える扇風機の梱包装置として有用である。
【符号の説明】
【００２８】
１  扇風機
２  ファン
３  ファンガード
３ａ  ファンガード後面
４  送風機部
５  モータ
５ａ  モータカバー側面
５ｂ  モータカバー上面
６  スタンド
７  ベース
１０  梱包箱
１０ａ  送風機部収納部
１０ｂ  スタンド収納部
１０ｃ  上フラップ
１０ｄ  下フラップ
１１  送風機パッド
１１ａ  ファンガード梱包部
１１ｂ  モータ梱包部
１２  外郭部
１２ａ  爪
１２ｂ  取っ手部
１３  内郭部
１３ａ  爪
１３ｂ  ファンガードパッド
１３ｃ  モータパッド
１３ｄ  ストッパー
１３ｅ  抜き孔
１４  ベースパッド
１４ａ  ガイド片
１４ｂ  ガイド片
１４ｃ  曲げ端部
１４ｅ  ベース収納部
１５  スタンドパッド
１５ａ  突起
１５ｂ  長孔
１５ｃ、１５ｄ、１５ｅ、１５ｆ  爪
１６  支柱パッド
１６ａ、１６ｂ  爪
１６ｃ  曲げ端部
１７  粘着テープ
９０  梱包装置
【図１】
2010202210.tif 000003
【図２】
2010202210.tif 000004
【図３】
2010202210.tif 000005
【図４】
2010202210.tif 000006
【図５】
2010202210.tif 000007
【図６】
2010202210.tif 000008
【図７】
2010202210.tif 000009
【図８】
2010202210.tif 000010
【図９】
2010202210.tif 000011
【図１０】
2010202210.tif 000012
【図１１】
2010202210.tif 000013
【図１２】
2010202210.tif 000014
【図１３】
2010202210.tif 000015
【図１４】
2010202210.tif 000016
【図１５】
2010202210.tif 000017
【図１６】
2010202210.tif 000018
【図１７】
2010202210.tif 000019